(57)【要約】【課題】本発明の課題は、同一のコラムから連続して搬出することのできる本数あるいは搬出装置の動作時間を設定する自動販売を提供することである。【解決手段】  庫内に複数のコラムを備え、商品選択ボタンの選択により商品を連続して販売可能とする自動販売機において、同一コラムから連続して搬出可能な本数を設定する設定手段と、同一コラムから商品搬出時に設定本数に達したら、対応する商品選択ボタンの売切ランプあるいは準備中ランプを点灯させることを特徴とする。【選択図】図１
2008065391.tif 000002
【特許請求の範囲】
【請求項１】
庫内に複数のコラムを備え、商品選択ボタンの選択により商品を販売可能とする自動販売機において、
同一コラムから連続して搬出可能な本数を設定する設定手段と、
同一コラムから商品連続搬出時に設定本数に達したら、対応する商品選択ボタンの売切ランプあるいは準備中ランプを表示させることを特徴とする自動販売機。
【請求項２】
庫内に複数のコラムを備え、商品選択ボタンの選択により商品を販売可能とする自動販売機において、
同一コラムから連続して搬出可能な時間を設定する設定手段と、
同一コラムから商品連続搬出時に前記設定時間を経過したら、対応する商品選択ボタンの売切ランプあるいは準備中ランプを表示させることを特徴とする自動販売機。
【請求項３】
庫内に複数のコラムを備え、投入金額の範囲内で商品選択ボタンの選択により商品を複数販売可能とする自動販売機において、
投入金額の範囲内で同一コラムから搬出可能な本数を設定する設定手段と、
同一コラムから商品搬出時に設定本数に達したら、対応する商品選択ボタンの売切ランプあるいは準備中ランプを表示させることを特徴とする自動販売機。
【請求項４】
庫内に複数のコラムを備え、投入金額の範囲内で商品選択ボタンの選択により商品を複数販売可能とする自動販売機において、
投入金額の範囲内で同一コラムから搬出可能な時間を設定する設定手段と、
同一コラムから商品搬出時に前記設定時間を経過したら、対応する商品選択ボタンの売切ランプあるいは準備中ランプを表示させることを特徴とする自動販売機。
【請求項５】
請求項１または３に記載の自動販売機において、所定時間内に搬出可能な本数であることを特徴とする自動販売機。
【請求項６】
請求項１ないし５のいずれかに記載の自動販売機において、残り金額にて販売可能な他のコラムの販売可能ランプは点灯状態とすることを特徴とする自動販売機。
【請求項７】
請求項１ないし５のいずれかに記載の自動販売機において、残り金額は、釣銭にて返却することを特徴とする自動販売機。
【請求項８】
請求項１ないし５のいずれかに記載の自動販売機において、所定時間経過後、売切ランプあるいは準備中ランプは消灯することを特徴とする自動販売機。
【発明の詳細な説明】
【技術分野】
【０００１】
本発明は、任意の商品を連続的に購入できる自動販売機に関する。
【背景技術】
【０００２】
従来、シングルベンド（１回販売）とマルチベンド（連続販売）とを設定可能な自動販売機が知られている。
そこで、連続販売が可能な自動販売機においては、投入金額が最低価格未満となるまで連続販売可能であり、最低価格未満となると釣銭を払出すようにした構成が知られている（例えば、特許文献１参照）。
すなわち、連続販売とは、シングルベンドのように商品搬出後、直ぐに釣銭を払い出すのではなく、釣銭の範囲で再度、商品の購入が可能であれば商品選択を許可するのであり、例えば、同一コラムの商品であっても何本でも連続して購入可能となっている。
【特許文献１】特公昭５５−４８３４８号号公報
【発明の開示】
【発明が解決しようとする課題】
【０００３】
このように、上記自動販売機においては、同一コラムの商品であっても、連続搬出本数に制限が設けられていないため、例えば、商品補充した直後の場合に、同一コラムからの搬出本数が多くなると、適温ではない商品が搬出される可能性があった。
そこで、本発明は、上記課題に鑑みて、同一コラムから搬出することのできる本数あるいは同一コラムの搬出装置の動作時間を設定することのできる自動販売機を提供することを目的とする。
【課題を解決するための手段】
【０００４】
上記課題を解決するために、本発明では、庫内に複数のコラムを備え、商品選択ボタンの選択により商品を販売可能とする自動販売機において、同一コラムから連続して搬出可能な本数を設定する設定手段と、同一コラムから商品搬出時に設定本数に達したら、対応する商品選択ボタンの売切ランプあるいは準備中ランプを表示させることを特徴とする。
また、本発明では、同一コラムから連続して搬出可能な時間を設定する設定手段と、同一コラムから商品連続搬出時に前記設定時間を経過したら、対応する商品選択ボタンの売切ランプあるいは準備中ランプを表示させることを特徴とする。
別の方式として、庫内に複数のコラムを備え、投入金額の範囲内で商品選択ボタンの選択により商品を複数販売可能とする自動販売機において、投入金額の範囲内で同一コラムから搬出可能な本数を設定する設定手段と、同一コラムから商品搬出時に設定本数に達したら、対応する商品選択ボタンの売切ランプあるいは準備中ランプを表示させることを特徴とする。
【０００５】
また、投入金額の範囲内で同一コラムから搬出可能な時間を設定する設定手段と、同一コラムから商品搬出時に前記設定時間を経過したら、対応する商品選択ボタンの売切ランプあるいは準備中ランプを表示させることを特徴とする。
さらに、所定時間内に同一コラムから商品搬出時に設定本数に達した場合には、対応する商品選択ボタンの売切ランプあるいは準備中ランプを表示させることを特徴とする。
上記の他の例として、残り金額にて販売可能な他のコラムの販売可能ランプは点灯したり、残り金額は、釣銭にて返却したり、売切ランプあるいは準備中ランプを表示後、所定時間経過後は売切ランプあるいは準備中ランプは消灯して、販売待機状態に戻るものである。
【発明の効果】
【０００６】
本発明は、同一コラムからの連続搬出本数、搬出装置の連続動作時間を設定、あるいは投入金額の範囲内で同一コラムからの搬出本数、搬出装置の動作時間を設定し、設定値となった場合には、販売を中止することで、適温ではない商品が搬出されることを防止するものである。
また、販売中止以外の他コラムの場合には搬出可能とすることで、他の商品でもよい場合には販売することで、利用者がほしい本数分は搬出することも可能となる。
【発明を実施するための最良の形態】
【０００７】
以下に添付図面を参照して、好適な実施例を詳細に説明する。なお、この実施例によりこの発明が限定されるものではない。
図４は、本発明の実施の対象となる自動販売機の概略正面図の一例を示すものであり、自動販売機４１は、その庫内に複数種類の商品を個別に収納する複数（ｎ個）のコラムを備えており、商品選択ボタン４４が押され、販売指令が与えられた場合に押された商品選択ボタン４４に対応する商品を搬出する。
この自動販売機４１の前面には、上部に商品見本展示室４２と、該展示室４２内に配置される複数の商品見本４３と、該商品見本４３に対応して設けられる販売可能ランプおよび売切ランプを備える商品選択ボタン４４と、紙幣を入金する紙幣挿入口４５と、硬貨を投入するする硬貨投入口４６と、返却レバー４７と、釣銭などを返却する硬貨返却口４６ａと、投入金額表示を行う金額表示器４８と、搬出された商品を取り出す商品取出口４９と、を備える。
【０００８】
次に、図１に、本発明の実施例を示すブロック図である。
図１において、１は自動販売機全体を制御し、制御プログラムを記憶するメモリ１ａ、販売価格、コラムと商品選択ボタン４４との対応関係、コラム毎の搬出本数、搬出動作時間を含む各種データを記憶するメモリ１ｂ、搬出本数をカウントするカウンタ１ｃ、搬出時間を計時するタイマ１ｄなどを備える主制御部である。
この主制御部１には、各種設定を行うためのリモコン１２、硬貨あるいは紙幣の受入、演算を行う貨幣処理部１３、冷熱装置１４ａを制御する冷熱制御部１４、商品を搬出する搬出装置１５ａを制御する搬出制御部１５、商品選択ボタン４４、金額表示器４８などがそれぞれ接続されている。
ここで、リモコン１２は、コラムと商品選択ボタン４４との対応関係、１回の投入金額の範囲内で同一コラムからの搬出本数（例：２〜９本）あるいは搬出動作時間を設定するものであり、また、コラムによっては、搬出不可（シングルベンド）の設定を行う。
【０００９】
このように、コラム毎にマルチベンド設定あるいはシングルベンド設定した内容をメモリ１ｂに記憶するようにしたが、自動販売機全体としてマルチベンド設定あるいはシングルベンド設定を可能としてもよい。
なお、商品選択ボタン４４については、準備中ランプについても必要に応じて備えたものであってもよい。
次に、商品連続販売時の処理について説明する。
まず、図２のフローチャートを用い、同一コラムからの搬出本数が設定されている場合の処理について説明する。
販売待機状態において、同一コラムからの搬出本数の設定が行われている場合（ステップＳ１）、硬貨投入口４６あるいは紙幣挿入口４５に所定金額の貨幣が投入されると（ステップＳ２，Ｙｅｓ）、商品選択ボタン４４の販売可能ランプが点灯し（ステップＳ３）、商品選択ボタン４４が押されると（ステップＳ４，Ｙｅｓ）、搬出制御部１５を介して、押された商品選択ボタン４４に対応する搬出装置１５ａに対して商品の搬出指令が出され、対応するコラムから商品が商品取出口４９へ搬出され（ステップＳ５）、搬出されたコラムの搬出本数がカウンタ１ｃにてカウントされる（ステップＳ６）。
【００１０】
次に、先の投入金額から販売価格が減算され（ステップＳ７）、減算された残りの金額にて商品が販売可能か判断し（ステップＳ８）、販売不可であり（ステップＳ８，Ｎｏ）、釣銭があれば釣銭を硬貨返却口４６ａに返却し（ステップＳ１０）、カウンタ１ｃをクリアして（ステップＳ１１）、販売を終了する。販売可能であれば（ステップＳ８，Ｙｅｓ）、次に、返却レバー４７が操作されたかを判断し（ステップＳ９）、操作されれば（ステップＳ９，Ｙｅｓ）、釣銭を硬貨返却口４６ａに返却し（ステップＳ１０）、カウンタ１ｃをクリアして（ステップＳ１１）、販売を終了する。操作されなければ（ステップＳ９，Ｎｏ）、カウンタの値が同一コラムからの搬出本数の設定値に達したか判定し（ステップＳ１２）、達していなければ（ステップＳ１２，Ｎｏ）、ステップＳ３に戻り、残金にて販売可能な全ての商品の販売可能ランプを点灯し（ステップＳ３）、次の商品選択ボタン４４の操作を待つものである。
【００１１】
この時点で、同じ商品選択ボタン４４が押され、同一コラムから商品が搬出されたとすると、搬出本数のカウントを加算し、先の選択とは異なる商品選択ボタン４４が押され、違う搬出装置１５ａから商品が搬出されたとすると、先のカウントをクリアして今回押された商品選択ボタン４４に対応するコラムの搬出本数のカウンタ１ｃを加算する。
一方、同一コラムからの搬出本数が設定されている搬出本数の設定値に達すれば（ステップＳ１２，Ｙｅｓ）、その対応する商品選択ボタン４４の売切ランプを表示させ（ステップＳ１３）、選択されても商品を搬出できないようにするとともに、ステップＳ３に戻り、その他の商品の中で、残金にて販売可能な商品の販売可能ランプを点灯し、処理を繰り返す。
そこで、ステップＳ８にて残金にて販売可能な商品が無くなるか、ステップＳ９にて返却レバー４７の操作されるまで、カウンタの値に基づき連続販売の処理を継続するものである。
【００１２】
なお、搬出本数設定値による判断は、ステップＳ８の残金にて販売可能か判断する時点にて同時に行ってもよい。
このように、同一コラムから連続して販売できる搬出本数を設定しておくことで、例えば、適温ではない商品が搬出されるなどのトラブルを未然に防止するものである。
次に、図３のフローチャートを用いて、同一コラムからの搬出時間が設定されている場合の処理について説明する。
販売待機状態において、同一コラムからの搬出時間の設定が行われている場合（ステップＳ３１）、硬貨投入口４６あるいは紙幣挿入口４５に所定金額の貨幣が投入されると（ステップＳ３２，Ｙｅｓ）、商品選択ボタン４４の販売可能ランプが点灯し（ステップＳ３３）、商品選択ボタン４４が押されると（ステップＳ３４，Ｙｅｓ）、搬出制御部１５を介して、押された商品選択ボタン４４に対応する搬出装置１５ａに対して商品の搬出指令が出され、対応するコラムから商品が商品取出口４９へ搬出され（ステップＳ３５）、搬出されたコラムを記憶するとともに、タイマ１ｄをスタートする（ステップＳ３６）。
【００１３】
次に、先の投入金額から販売価格が減算され（ステップＳ３７）、減算された残りの金額にて商品が販売可能か判断し（ステップＳ３８）、販売不可であれば（ステップＳ３８，Ｎｏ）、釣銭を硬貨返却口４６ａに返却し（ステップＳ４０）、タイマ１ｄをクリアする（ステップＳ４１）。次に、返却レバー４７が操作されたかを判断し（ステップＳ３９）、操作されれば（ステップＳ３９，Ｙｅｓ）、釣銭を硬貨返却口４６ａに返却し（ステップＳ４０）、タイマ１ｄをクリアして（ステップＳ４１）、販売を終了する。操作されなければ（ステップＳ３９，Ｎｏ）、タイマの計時値が所定時間経過したかを判定し（ステップＳ４２）、経過していなければ（ステップＳ４２，Ｎｏ）、ステップＳ３３に戻り、残金にて販売可能な全ての商品の販売可能ランプを点灯し、次の商品選択ボタン４４の操作を待つものである。
【００１４】
この時点で、同じ商品選択ボタン４４が押され、同一コラムから商品が搬出されたとすると、タイマの計時を継続し、先の選択とは異なる商品選択ボタン４４が押され、違う搬出装置１５ａから商品が搬出されたとすると、タイマ１ｄの計時をクリアして、今回押された商品選択ボタン４４に対応するコラムを記憶するとともに、タイマ１ｄを新たにスタートする。
一方、タイマ１ｃの計時値が同一コラムからの搬出時間が設定されている時間に達すれば（ステップＳ４２）、その対応する商品選択ボタン４４の売切ランプを表示させ（ステップＳ４３）、選択させても商品を搬出できないようにするとともに、ステップＳ３３に戻り、その他の商品の中で、残金にて販売可能な商品の販売可能ランプを点灯し、処理を繰り返す。
【００１５】
そこで、ステップＳ３８にて残金にて販売可能な商品が無くなるか、ステップＳ３９にて返却レバー４７の操作されるまで、タイマの計時値に基づき連続販売の処理を継続するものである。
なお、同一コラムからの搬出時間の判断は、ステップＳ３８の残金にて販売可能か判断する時点にて同時に行ってもよい。
このように、同一のコラムからの販売できる連続搬出時間を設定しておくことで、例えば、適温ではない商品が搬出されるなどのトラブルを未然に防止するものである。
なお、連続販売の中止については、返却レバー４７の操作について説明したが、先の商品選択ボタン４４操作後、所定時間の間、商品選択ボタン４４が操作されなければ、釣銭を返却して販売を終了する方式でもよい。
【００１６】
上記２つの実施形態の変形例としては、以下の方式が考えられる。
まず、連続して同一コラムからの商品搬出について説明したが、１回の投入金額の範囲内における同一コラムからの搬出本数であってもよく、この場合は、連続して販売中に、間に他のコラムから搬出した場合にでも、カウンタをクリアせずに、このカウンタ値が設定本数に達したら、商品選択ボタン４４の売切ランプを表示させるように制御してもよい。
すなわち、同一コラムから連続して搬出中に、例えば、間に１本だけ他のコラムを選択した場合には、連続販売とあまり差異はないため、この場合にも連続販売と同等であるとして、カウンタをクリアせずに継続するものであり、適温ではない商品の搬出防止につながる。
【００１７】
また、搬出時間についても同様に、１回の投入金額の範囲内における同一コラムからの搬出時間であってもよく、この場合は、連続して販売中に、間に他のコラムから搬出した場合には、タイマの計時をクリアせずに中断し、また、同一コラムから選択された場合には、タイマをスタートさせて、この計時値が設定時間に達したら、商品選択ボタン４４の売切ランプを表示させるように制御してもよい。
次に、準備中ランプを備えた商品選択ボタン４４では、実売切と区別するために準備中ランプを点灯するようにしてもよいし、また、売切ランプにおいては、点滅させるなどして、さらに、売切ランプおよび準備中ランプの両ランプを点灯あるいは点滅させるなどして、実売切と区別するようにしてもよい。
次に、連続搬出本数と連続搬出時間とを単独に用いる実施の形態にて説明したが、連続搬出本数と連続搬出時間とを組合せ、設定時間内に所定本数連続して搬出された場合には、その対応する商品選択ボタン４４の売切ランプあるいは準備中ランプを表示させ、商品を搬出できないようにしても良く、この場合、マルチベンドのみならず、例えば、シングルベンド時において、休憩時間などに同じ商品が連続して搬出される本数を制限する場合に有効である。
【００１８】
また、他の商品を販売可能とせず、その時点の残金を釣銭として返却してよい。
さらに、売切ランプあるいは準備中ランプの表示は、所定時間経過すれば、消灯して、通常の販売待機状態に復帰するように制御するものである。
【図面の簡単な説明】
【００１９】
【図１】本発明の実施形態にかかる自動販売の構成を示すブロック図である。
【図２】本発明の一実施の形態を示すフローチャート図である。
【図３】本発明の他実施の形態を示すフローチャート図である。
【図４】本発明の対象となる自動販売機を示す概略正面図である。
【符号の説明】
【００２０】
４１        自動販売機
４４        商品選択ボタン
１          主制御部
１ａ，１ｂ  メモリ
１ｃ        カウンタ
１ｄ        タイマ
１２        リモコン
１５        搬出制御部
１５ａ      搬出装置
【図１】
2008065391.tif 000003
【図２】
2008065391.tif 000004
【図３】
2008065391.tif 000005
【図４】
2008065391.tif 000006